(57)【特許請求の範囲】
【請求項１】
露光用の開口部を有するシャッタ地板と、
前記開口部の開閉状態を切り替える先羽根及び後羽根を含むシャッタ羽根と、
前記先羽根を係止する先羽根用係止部材と、
前記後羽根を係止する後羽根用係止部材と、
コイルへの通電により着磁される先羽根用鉄芯部材及び後羽根用鉄芯部材と、
前記先羽根用鉄芯部材の着磁状態に応じて移動する先羽根用鉄片部材と、
前記後羽根用鉄芯部材の着磁状態に応じて移動する後羽根用鉄片部材と、
前記先羽根用鉄片部材と連動し、前記先羽根用係止部材による前記先羽根の係止状態を解除して前記先羽根を移動させる先羽根用係止解除部材と、
前記後羽根用鉄片部材と連動し、前記後羽根用係止部材による前記後羽根の係止状態を解除して前記後羽根を移動させる後羽根用係止解除部材と、
前記先羽根用係止解除部材とは独立に作動し、前記先羽根用係止部材による前記先羽根の係止状態を解除して前記先羽根を移動させるアクチュエータと、
を備え、
前記先羽根により前記開口部が閉じられた第１状態から、
前記先羽根用鉄芯部材及び前記後羽根用鉄芯部材と、前記先羽根用鉄片部材及び前記後羽根用鉄片部材とが接触した状態のまま、前記アクチュエータにより前記先羽根用係止部材による前記先羽根の係止状態が解除されて前記先羽根が移動することで、前記開口部が開放された第２状態へと変化し、
さらに、前記先羽根用鉄芯部材及び前記後羽根用鉄芯部材と、前記先羽根用鉄片部材及び前記後羽根用鉄片部材との接触状態が解除され、前記後羽根用係止解除部材により、前記後羽根用係止部材による前記後羽根の係止状態が解除されて前記後羽根が移動することで、前記後羽根により前記開口部が閉じられた第３状態へと変化するよう動作する
フォーカルプレンシャッタ。
【請求項２】
前記先羽根により前記開口部を覆う状態を電気的制御により仮想的に実現する電子先羽根制御部をさらに備える
請求項１に記載のフォーカルプレンシャッタ。
【請求項３】
請求項１または請求項２に記載のフォーカルプレンシャッタを備えるカメラ。
【発明の詳細な説明】
【技術分野】
【０００１】
本発明の一態様は、シャッタ羽根を備えるカメラ用フォーカルプレンシャッタ、及びこのフォーカルプレンシャッタを備えるカメラに関する。
【背景技術】
【０００２】
デジタルカメラなどに用いられるフォーカルプレンシャッタ（フォーカルプレーンシャッタ）の中には、先羽根と後羽根という２組のシャッタ羽根を備える構成のものがある。このようなフォーカルプレンシャッタでは、先羽根と後羽根とが、それぞれ先羽根用駆動部材と後羽根用駆動部材とに連結されており、撮影待機状態であるセット状態においては、先羽根が露光開口を覆い、後羽根が露光開口から退いており、撮影時には、これらの２つの駆動部材が順に回転させられることで、まず先羽根が露光開口を開いていき、後羽根が先羽根の後を追うように露光開口を閉じていくことで、撮像装置の撮像面を露光していくよう構成される。
【０００３】
ところで、このようなフォーカルプレンシャッタでは、被写体像を液晶表示装置などのモニタ（表示装置）に映し出して確認しながら撮影するモードに対する要望がある。このようにモニタを用いて行う撮影のことを、ライブビュー撮影ということがあり、近年普及してきている。ライブビュー時には、露光開口を開放した状態で保持しておく必要があるため、セット状態から、後羽根を固定したまま、先羽根だけを移動させる（走らせる）必要があった。特許文献１には、ライブビュー撮影を可能とするフォーカルプレンシャッタについて開示されている。
【先行技術文献】
【特許文献】
【０００４】
【特許文献１】特開２０１１−１９１３４２号公報
【発明の概要】
【発明が解決しようとする課題】
【０００５】
しかしながら、上記従来のフォーカルプレンシャッタでは、ライブビュー撮影を行うために露光開口が開放された状態から撮影を行う場合には、通電を伴うチャージにより改めて先羽根と後羽根とをセット状態にした後に先羽根と後羽根とを動作させる必要があるため、再チャージのためのタイムラグが発生していた。また、フォーカルプレンシャッタを備えるカメラにおいて、消費電力を削減することも求められており、そのためにフォーカルプレンシャッタを動作するための消費電力を削減することも求められる傾向である。
【課題を解決するための手段】
【０００６】
本発明は、上記課題を解決するために次のような手段を採る。なお、以下の説明において、発明の理解を容易にするために図面中の符号等を括弧書きで付記するが、本発明の各構成要素はこれらの付記したものに限定されるものではなく、当業者が技術的に理解しうる範囲にまで広く解釈されるべきものである。
【０００７】
本発明の一の手段は、
露光用の開口部を有するシャッタ地板（１）と、
前記開口部の開閉状態を切り替える先羽根及び後羽根を含むシャッタ羽根（３５〜３８、４１〜４４）と、
前記先羽根を係止する先羽根用係止部材（１６）と、
前記後羽根を係止する後羽根用係止部材（１７）と、
コイルへの通電により着磁される先羽根用鉄芯部材（１９ａ）及び後羽根用鉄芯部材（２０ａ）と、
前記先羽根用鉄芯部材の着磁状態及び前記先羽根用係止部材による係止状態に応じて移動することで、前記先羽根を移動させる先羽根用鉄片部材（２４）と、
前記後羽根用鉄芯部材の着磁状態及び前記後羽根用係止部材による係止状態に応じて移動することで、前記後羽根を移動させる後羽根用鉄片部材（２６）と、
前記先羽根用係止部材による前記先羽根の係止状態を解除する先羽根係止解除機構（２３及び５１）と、
前記後羽根用係止部材による前記後羽根の係止状態を解除する後羽根係止解除機構（２５）と、を備え、
前記先羽根により前記開口部が閉じられた第１状態（セット状態）から、前記先羽根係止解除機構により、前記先羽根用係止部材による前記先羽根の係止状態が解除され、前記後羽根が前記後羽根用係止部材により係止されることで、前記開口部が開放された第２状態（ライブビュー）へと変化し、
さらに、前記後羽根係止解除機構により、前記後羽根係止部材による前記後羽根の係止状態が解除されることで、前記後羽根により前記開口部が閉じられた第３状態（撮影終了状態）へと変化するよう動作する
フォーカルプレンシャッタである。
【０００８】
上記構成のフォーカルプレンシャッタによれば、先羽根係止解除機構により先羽根の係止のみを解除することで先羽根のみを走らせ、これによりライブビュー状態を作ることができる。その後、後羽根の係止を解除することで後羽根を走らせることが可能となる。このように、開口部の開放状態から後羽根のみの走行を行うことが可能となり、後羽根を走らせるために先羽根を一度セット状態に戻す動作が不要となり、撮影時のタイムラグを無くすことが可能となる。さらには、フォーカルプレンシャッタを備えるカメラにおいて、消費電力を削減できる可能性もある。また、ライブビュー状態を作るときに、レリーズ動作が行われないので、鉄片部材と鉄芯部材とを吸着させた状態のままとすることができる。これにより、鉄片部材と鉄芯部材との吸着面へのゴミの付着防止も可能となり、コンタミネーション対策にもなる。このコンタミネーション対策により、鉄片部材と鉄芯部材との所望の着磁状態が維持でき（例えば着磁のずれなどの発生を抑制し）、係止部材による所望の係止状態を維持できることになり、フォーカルプレンシャッタの性能を維持することで適切な露光制御が可能となる。
【０００９】
上記フォーカルプレンシャッタにおいて、好ましくは、
前記先羽根により前記開口部を覆う状態を電気的制御により仮想的に実現する電子先羽根制御部をさらに備える。
【００１０】
上記構成のフォーカルプレンシャッタによれば、先羽根の動作を電気的・仮想的に実現する所謂先幕電子の構成にすることが可能となる。
【００１１】
上記いずれかのフォーカルプレンシャッタは、カメラに好適に適用される。
【００１２】
上記のようなカメラによれば、ライブビュー撮影が可能であり、さらにライブビュー撮影時にタイムラグを発生させない構成とすることが可能となる。
【図面の簡単な説明】
【００１３】
【図１】セット状態のフォーカルプレンシャッタの構成を示す図。
【図２】撮影終了状態のフォーカルプレンシャッタの構成を示す図。
【図３】セット状態のフォーカルプレンシャッタにおける駆動機構部分を拡大した図。
【図４】開口部開放状態のフォーカルプレンシャッタにおける駆動機構部分を拡大した図。
【図５】撮影終了状態のフォーカルプレンシャッタにおける駆動機構部分を拡大した図。
【図６】通常モードでの撮影時の動作シーケンスを示す図。
【図７】ライブビューモードでの撮影時の動作シーケンスを示す図。
【図８】ライブビューモードでの撮影時の動作シーケンスを示す図。
【発明を実施するための形態】
【００１４】
本発明に係る実施形態について、以下の構成に従って図面を参照しながら具体的に説明する。ただし、以下で説明する実施形態はあくまで本発明の一例にすぎず、本発明の技術的範囲を限定的に解釈させるものではない。なお、各図面において、同一の構成要素には同一の符号を付しており、その説明を省略する場合がある。
１．実施形態
（１）フォーカルプレンシャッタの構成例
（２）動作例
【００１５】
＜１．実施形態＞
本実施形態のフォーカルプレンシャッタは、露光のための開口部を開放した状態のまま保持するライブビュー状態から、そのまま開口部を覆う状態になるよう後羽根のみを走行させる動作を実行可能に構成されている点を特徴のひとつとする。さらに、この時、先羽根の動きを電気的・仮想的に実現させる電子先羽根制御部を備える点も特徴のひとつである。以下、具体的に説明する。
【００１６】
＜（１）フォーカルプレンシャッタの構成例＞
本実施形態のフォーカルプレンシャッタは、所謂係止タイプのデジタルカメラ用フォーカルプレンシャッタである。このようなフォーカルプレンシャッタでは、通常撮影の場合には、先羽根が露光開口を開き始めることによって撮影露光を開始し、先羽根を追って後羽根が露光開口を閉じていき、露光開口を閉じ終えることにより撮影露光を終了する。また、ライブビュー撮影の場合には、ユーザがカメラに備えられている選択手段を撮影前に操作することで、露光開口が開放されたライブビュー状態となる。本実施形態のフォーカルプレンシャッタを備えるカメラでは、この通常撮影とライブビュー撮影とを選択的に実行可能となるが、通常撮影は従来の構成及び動作により実現可能であるため、本実施形態ではライブビュー撮影のみについて具体的に説明する。
【００１７】
まず、図１〜図３を参照しながら本実施形態のフォーカルプレンシャッタの構成について説明する。図１は、露光動作前のセット状態のフォーカルプレンシャッタを示す平面図であって、シャッタ地板の背面側に配置されているシャッタ羽根などの構成も破線で示されている。図２は、露光動作終了後、すなわち撮影完了後のフォーカルプレンシャッタを示す平面図である。図３は、図１と同様のセット状態のフォーカルプレンシャッタにおける駆動機構部分を拡大した図である。
【００１８】
＜シャッタ地板１＞
シャッタ地板１は、その略中央部分に開口部１ａが形成されている。ただし、開口部１ａは必ずしもシャッタ地板１の中央部分に形成される必要はなく、シャッタ地板１の内側に形成されればよい。シャッタ地板１の背面側には、所定の間隔を空けて、中間板及び補助地板が順に取り付けられており（いずれも図示なし）、シャッタ地板１と中間板との間に先羽根用の羽根室が形成され、中間板と補助地板との間に後羽根用の羽根室が形成される。
【００１９】
＜先羽根用駆動部材１０、後羽根用第１駆動部材１１、後羽根用第２駆動部材１２＞
シャッタ地板１には軸１ｇ及び１ｈが立設されており、先羽根のアーム３３及び３４と後羽根のアーム３９及び４０とを回転可能に支持している。軸１ｇには、先羽根用駆動部材１０が回転可能に取り付けられており、先羽根用駆動ばね（図示せず）により時計回りの回転方向に付勢されている。軸１ｈには、後羽根用第１駆動部材１１及び後羽根用第２駆動部材１２が、後羽根用第１駆動部材１１がシャッタ地板１側となるように、個々に回転可能に取り付けられている。後羽根用第２駆動部材１２は、後羽根用駆動ばね（図示せず）により時計回りの回転方向に付勢されている。
【００２０】
＜先羽根用係止部材１６＞
シャッタ地板１に立設された軸１ｋには、先羽根用係止部材１６が回転可能に取り付けられていて、図示しないばねによって、反時計周りの回転方向に付勢されている。この先羽根用係止部材１６は、先羽根用駆動部材１０を係止し、これにより先羽根用駆動部材１０が時計回り方向に回転することを阻止するためのものである。
【００２１】
＜後羽根用係止部材１７＞
シャッタ地板１に立設された軸１ｍには、後羽根用係止部材１７が回転可能に取り付けられていて、図示しないばねによって、反時計周りの回転方向に付勢されている。この後羽根用係止部材１７は、後羽根用第２駆動部材１２を係止し、これにより後羽根用第２駆動部材１２の時計回り方向に回転することを阻止するためのものである。
【００２２】
＜先羽根用鉄芯部材１９ａ、後羽根用鉄芯部材２０ａ＞
先羽根用鉄芯部材１９ａは、Ｕ字型に形成され、ボビンを介してコイルを巻回されており、先羽根を駆動させるための電磁石として機能する。後羽根用鉄芯部材２０ａも同様に、Ｕ字型に形成され、ボビンを介してコイルを巻回されており、後羽根を駆動させるための電磁石として機能する。
【００２３】
＜上地板７＞
上地板７は、図示されたように、シャッタ地板１よりも上側に配置され、全体として平面視で上下方向に長い形状に形成される。
【００２４】
＜先羽根用係止解除部材２３、鉄片部材２４＞
上地板７に立設された軸７ｒには、先羽根用係止解除部材２３が回転可能に取り付けられており、図示していない先羽根用解除ばねによって時計回りの回転方向に付勢されている。この先羽根用係止解除部材２３は、先羽根用係止部材１６を押すように動作するほか、端部に形成された折曲部には鉄片部材２４が取り付けられている。
【００２５】
＜後羽根用係止解除部材２５、鉄片部材２６＞
上地板７に立設された軸７ｂには、後羽根用係止解除部材２５が回転可能に取り付けられており、図示していない後羽根用解除ばねによって反時計回りの回転方向に付勢されている。この後羽根用係止解除部材２５は、後羽根用係止部材１７を押すように動作するほか、端部に形成された折曲部には鉄片部材２６が取り付けられている。
【００２６】
＜ホールド部材２７、ホールド補助部材２８＞
上地板７に立設された軸７ｄには、ホールド部材２７とホールド補助部材２８とが回転可能に取り付けられている。ホールド部材２７には、図示していない第１のばねによって時計回りの回転方向に付勢されており、ホールド部材２７とホールド補助部材２８との間には、ホールド部材２７を反時計回りの回転方向に付勢し、ホールド補助部材２８を時計回りの回転方向に付勢する第２のばねが掛けられている。
【００２７】
＜レリーズ部材３０＞
上地板７に立設された軸７ｍには、レリーズ部材３０が回転可能に取り付けられていて、図示していないばねによって、反時計回りの回転方向に付勢されている。レリーズ部材３０は、一方の腕部の先端に係止部３０ａを有しており、他方の腕部の先端に被押動部（レリーズレバー）３０ｂと当接部３０ｃを有している。被押動部３０ｂは、図示していないカメラ本体側の部材によって押される部位である。当接部３０ｃは、レリーズ部材３０が、図示していないばねの付勢力によって反時計方向へ回転させられたとき、被当接部７ｋに当接する部位である。
【００２８】
次に、シャッタ地板１の背面側に配置されている構成部材を説明する。
【００２９】
＜先羽根：アーム３３、３４、羽根３５〜３８＞
先羽根（先幕）は、シャッタ地板１に立設された軸１ｇ及び１ｎに一端を枢着されている２つのアーム３３及び３４と、それらの自由端に向けて順に枢支された４枚の羽根（シャッタ羽根）３５〜３８とで構成されている。これらの羽根３５〜３８のうちで最先端に枢支された羽根３８がスリット形成羽根となる。アーム３３及び３４と、羽根３５〜３８との重なり関係は、アーム３３及び３４がシャッタ地板１側に存在し、羽根３５がシャッタ地板１から最も離れた、中間版側に存在するようになっている。
【００３０】
＜後羽根：アーム３９、４０、羽根４１〜４４＞
後羽根（後幕）は、シャッタ地板１に立設された軸１ｈ及び１ｐに一端を枢着されている２つのアーム３９及び４０と、それらの自由端に向けて順に枢支された４枚の羽根（シャッタ羽根）４１〜４４とで構成されている。これらの羽根４１〜４４のうちで最先端に枢支された羽根４４がスリット形成羽根となる。アーム３９及び４０と、羽根４１〜４４との重なり関係は、アーム３９及び４０がシャッタ地板１側に存在し、羽根４１がシャッタ地板１から最も離れた、中間版側に存在するようになっている。
【００３１】
＜アクチュエータ５１＞
アクチュエータ５１は、先羽根用係止部材１６の近傍に配置され、図示しないばねによって反時計回りの回転方向（Ｂ方向）に付勢されている。アクチュエータ５１は、本発明における先羽根係止解除機構の一例である。アクチュエータ５１は、通電により時計回りの回転方向（Ａ方向）に回転し、これによって、先羽根用係止部材１６による先羽根用駆動部材１０の係止を解除させることができる。
【００３２】
＜（２）動作例＞
次に、図１〜図８を参照しながら、本実施形態のフォーカルプレンシャッタの動作について説明する。以下の説明では、本実施形態での特徴的な動作である、モニタを用いて撮影するライブビュー撮影の動作を中心に説明する。
【００３３】
図１及び図３に示されるセット状態において、先羽根用駆動部材１０及び後羽根用第１駆動部材１１は、それぞれ先羽根用係止部材１６及び後羽根用係止部材１７により係止されている。後羽根を構成する羽根４１〜４４並びにアーム３９及び４０は、後羽根用第１駆動部材１１及び後羽根用第２駆動部材１２により吊られている。よって、この状態では後羽根は走行していない。先羽根を構成する羽根３５〜３８は、開口部１ａを覆う状態で停止している。
【００３４】
ここで、通常の撮影動作の場合には、図６に示された通常モードでの撮影時の動作シーケンスのとおり、ユーザ操作に伴ってレリーズ動作が行われる。これにより、ホールド部材２７及びホールド補助部材２８が退避し、コイルへの通電及び通電解除により先羽根用係止解除部材２３及び後羽根用係止解除部材２５が動作してそれぞれ先羽根用係止部材１６及び後羽根用係止部材１７に当たり（ぶつかり）、これにより係止解除されることで先羽根と後羽根とが順に走行することで露光が行われる。
【００３５】
一方で、ライブビュー状態（ライブビューモードの状態）に移るときには、先羽根のみを走らせる（動作させる）ことで、開口部１ａを開放した状態とする。このとき、ユーザによるライブビュー状態への移行操作に応じてアクチュエータ５１への通電が行われ、これによってアクチュエータ５１が時計回りに回転する。これにより、先羽根用係止部材１６による先羽根用駆動部材１０の係止が解除されて、先羽根用駆動部材１０が移動する。先羽根用駆動部材１０が移動すると、これに伴って先羽根を構成するアーム３３及び３４、並びに羽根３５〜３８が走り（動作し）、これによって開口部１ａが開放された状態になる。図４は、この開口部が開放された状態のフォーカルプレンシャッタにおける駆動機構部分を拡大した図である。図７に示されたライブビューモードでの撮影時の動作シーケンスにおいて、状態Ｓ１がこのライブビュー状態に該当する。このとき、ホールド補助部材２８により、先羽根用係止解除部材２３及び後羽根用係止解除部材２５が保持されており、先羽根用鉄芯部材１９ａ及び後羽根用鉄芯部材２０ａと、鉄片部材２４及び２６とは、それぞれ吸着状態にある。ホールド補助部材２８は、ホールド部材２７と連動しており、ホールド部材２７はレリーズ部材３０により係止されている。
【００３６】
その後、ユーザの操作によりレリーズ動作が実施されると、被押動部３０ｂが押されることでレリーズ部材３０が動作し、レリーズ部材３０の動作によりホールド部材２７及びホールド補助部材２８が退避する。そして、後羽根用係止解除部材２５の動作により、後羽根用係止部材１７と後羽根第２駆動部材１２との係止が解除される。その解除により、鉄片部材２４及び２６と、先羽根用鉄芯部材１９ａ及び後羽根用鉄芯部材２０ａとの離反が開始される。このとき、先羽根は上記の係止解除により先に走行しているため、ここでは後羽根を構成するアーム３９及び４０並びに羽根４１〜４４が走行を開始し、開口部１ａの開放状態から後羽根だけの走行が可能となる。図５は、このようにして撮影が完了した後の状態のフォーカルプレンシャッタにおける駆動機構部分を拡大した図である。図７に示されたライブビューモードでの撮影時の動作シーケンスにおいて、状態Ｓ１から状態Ｓ２への移行期間が上記動作に該当する。
【００３７】
このように、後羽根だけが走行する際、電子先羽根制御部（図示せず）は、先羽根が走る場合と同様の撮像結果を得られるような、仮想的な電気的制御を行う。このような処理は電子先幕とも呼ばれており、公知の技術により実現可能である。
【００３８】
図８では、ライブビュー状態から、後羽根を動作させた静止画撮影を行うことなく、先羽根をセット状態に戻したときの動作シーケンスを示している。
【００３９】
本実施形態のフォーカルプレンシャッタは、上記のような動作を実行可能な構成としているため、ライブビュー状態から静止画を撮影する場合に、改めてセット状態に戻す再チャージが不要となるため、撮影時のタイムラグをなくすことが可能となる。また、これによって、フォーカルプレンシャッタを備えるカメラにおいて消費電力を削減できる可能性もある。
【００４０】
以上、本発明の実施形態についての具体的な説明を行った。上記説明は、あくまで一実施形態としての説明であって、本発明の範囲はこの一実施形態に留まらず、当業者が把握可能な範囲にまで広く解釈されるものである。
【産業上の利用可能性】
【００４１】
本発明は、カメラ用のフォーカルプレンシャッタなどとして好適に適用される。
【符号の説明】
【００４２】
１…シャッタ地板
１ａ…開口部
１ｇ、１ｈ、１ｋ、１ｍ…軸
７…上地板
７ｂ、７ｄ、７ｍ、７ｒ…軸
１０…先羽根用駆動部材
１１…後羽根用第１駆動部材
１２…後羽根用第２駆動部材
１６…先羽根用係止部材
１７…後羽根用係止部材
１９ａ…先羽根用鉄芯部材
２０ａ…後羽根用鉄芯部材
２３…先羽根用係止解除部材
２４…鉄片部材
２５…後羽根用係止解除部材
２６…鉄片部材
２７…ホールド部材
２８…ホールド補助部材
３０…レリーズ部材
３０ａ…係止部
３０ｂ…被押動部
３０ｃ…当接部
３３、…アーム（先羽根）
３５〜３８…羽根（先羽根）
３９…アーム（後羽根）
４１〜４４…羽根（後羽根）
５１…アクチュエータ
【図１】
0006656862.tif 000002
【図２】
0006656862.tif 000003
【図３】
0006656862.tif 000004
【図４】
0006656862.tif 000005
【図５】
0006656862.tif 000006
【図６】
0006656862.tif 000007
【図７】
0006656862.tif 000008
【図８】
0006656862.tif 000009